(57)【要約】      （修正有）【課題】レジューム再生をより高速に開始する映像再生装置及び映像再生方法を提供する。【解決手段】Ａ／Ｖ出力制御部１０３で変換を行うために必要な設定を示す出力設定情報をＡ／Ｖ出力制御部１０３から取得して、不揮発性記憶部１０７に記憶させる出力設定取得部１０６と、コンテンツの既に再生が行われた位置を示す再生位置情報を取得して、不揮発性記憶部１０７に記憶させる再生制御部１０４と、コンテンツの再生を再開する際に、再生制御部１０４からの指示に応じて、不揮発性記憶部１０７に記憶されている出力設定情報に基づいて、Ａ／Ｖ出力制御部１０３に設定を行うＡ／Ｖ出力設定部１０８とを備える。【選択図】図１
2016144098.tif 000002
【特許請求の範囲】
【請求項１】
記録媒体から再生するコンテンツの圧縮ストリームデータを読み出す記録媒体読出部と、
前記記録媒体読出部が読み出した圧縮ストリームデータを復号して、復号データを生成する圧縮ストリーム復号部と、
前記圧縮ストリーム復号部が生成した復号データを、表示装置で出力できる形式に変換することで、出力データを生成して、当該表示装置に与える出力制御部と、
不揮発性記憶部と、
前記出力制御部で変換を行うために必要な設定を示す出力設定情報を前記出力制御部から取得して、当該取得された出力設定情報を前記不揮発性記憶部に記憶させる出力設定取得部と、
前記コンテンツの既に再生が行われた位置を示す再生位置情報を取得して、前記不揮発性記憶部に記憶させる再生制御部と、
前記再生制御部からの指示に応じて、前記不揮発性記憶部に記憶されている出力設定情報に基づいて、前記出力制御部に設定を行う出力設定部と、を備え、
前記再生制御部は、前記コンテンツの再生を再開する際に、前記出力設定部に指示して、前記不揮発性記憶部に記憶されている出力設定情報に基づいて、前記出力制御部に設定を行わせるとともに、前記記録媒体読出部に指示して、前記不揮発性記憶部に記憶されている再生位置情報で示される位置から圧縮ストリームデータを読み出させること
を特徴とする映像再生装置。
【請求項２】
前記出力設定取得部は、前記圧縮ストリーム復号部が生成する復号データの形式が変更された場合に、前記出力制御部から出力設定情報を取得して、前記不揮発性記憶部に記憶させること
を特徴とする請求項１に記載の映像再生装置。
【請求項３】
前記再生制御部は、前記コンテンツの再生を停止する際に、前記再生位置情報を取得して、前記不揮発性記憶部に記憶させること
を特徴とする請求項１又は２に記載の映像再生装置。
【請求項４】
操作の入力を受け付けるユーザ操作部をさらに備え、
前記再生制御部は、前記ユーザ操作部が再生を停止する操作の入力を受け付けた場合に、前記再生位置情報を取得して、前記不揮発性記憶部に記憶させること
を特徴とする請求項３に記載の映像再生装置。
【請求項５】
前記再生制御部は、前記映像再生装置の電源がオフにされた場合に、前記再生位置情報を取得して、前記不揮発性記憶部に記憶させること
を特徴とする請求項１又は２に記載の映像再生装置。
【請求項６】
前記出力設定取得部は、定期的に、前記出力制御部から出力設定情報を取得して、前記不揮発性記憶部に記憶させ、
前記再生制御部は、定期的に、前記再生位置情報を前記不揮発性記憶部に記憶させること
を特徴とする請求項１に記載の映像再生装置。
【請求項７】
前記不揮発性記憶部は、前記再生位置情報及び前記出力設定情報を取得した際に再生されていたコンテンツを記録する記録媒体を識別するための記録媒体照合情報をさらに記憶しており、
前記記録媒体読出部にデータ読み出し可能な状態にされた記録媒体の記録媒体照合情報と、前記不揮発性記憶部に記憶されている記録媒体照合情報とが一致するか否かを判断する記録媒体照合部をさらに備え、
前記記録媒体読出部にデータ読み出し可能な状態にされた記録媒体の記録媒体照合情報と、前記不揮発性記憶部に記憶されている記録媒体照合情報とが一致すると前記記録媒体照合部が判断した場合に、前記再生制御部は、前記記録媒体読出部、前記圧縮ストリーム復号部、前記出力制御部及び前記出力設定部を制御して、前記コンテンツの再生を再開すること
を特徴とする請求項１に記載の映像再生装置。
【請求項８】
複数の前記記録媒体読出部が備えられており、
前記出力設定取得部は、前記出力設定情報を、前記出力設定情報を取得した際に再生されていたコンテンツを記録する記録媒体がデータ読み出し可能な状態にされていた記録媒体読出部に対応付けて前記不揮発性記憶部に記憶させ、
前記出力設定部は、前記再生制御部からの指示に応じて、前記不揮発性記憶部に記憶されている出力設定情報の内、記録媒体がデータ読み出し可能な状態にされた記録媒体読出部に対応付けられている出力設定情報を選択して、当該選択された出力設定情報に基づいて、前記出力制御部に設定を行うこと
を特徴とする請求項１に記載の映像再生装置。
【請求項９】
記録媒体から再生するコンテンツの圧縮ストリームデータを読み出し、
前記読み出された圧縮ストリームデータを復号して、復号データを生成し、
前記生成された復号データを、表示装置で出力することのできる形式に変換することで、出力データを生成して、当該表示装置に出力し、
前記変換を行うために必要な設定を示す出力設定情報を記憶し、
前記コンテンツの既に再生が行われた位置を示す再生位置情報を記憶し、
前記コンテンツの再生を停止し、
前記コンテンツの再生を再開する映像再生方法であって、
前記コンテンツの再生を再開する際には、
前記記憶されている出力設定情報に基づいて、前記変換を行うための設定を行い、
前記記憶されている再生位置情報で示される位置から圧縮ストリームデータを読み出すこと
を特徴とする映像再生方法。
【発明の詳細な説明】
【技術分野】
【０００１】
本発明は、映像再生装置及び映像再生方法に関し、特に、再生を再開する際に、最後に再生していた再生位置から再生を再開するレジューム再生を行う映像再生装置及び映像再生方法に関する。
【背景技術】
【０００２】
続き再生とも呼ばれるレジューム再生を行う映像再生装置が従来からある（例えば、特許文献１参照）。
従来の映像再生装置は、記録媒体に格納されたコンテンツにおける、最後に再生していた再生位置、即ち再生停止時の再生位置のみを、フラッシュメモリ等の不揮発性記録媒体へ記録している。そして、従来の映像再生装置は、次に同じコンテンツの再生を再開するときに、不揮発性記録媒体から再生位置を取得して、取得された再生位置まで再生開始位置をずらして再生を再開している。
【先行技術文献】
【特許文献】
【０００３】
【特許文献１】国際公開第２０１２−１２７７８８号
【発明の概要】
【発明が解決しようとする課題】
【０００４】
従来の技術のように、再生停止時の再生位置のみを記憶して、レジューム再生を行う映像再生装置では、電源ＯＮにしてからレジューム再生を開始するまでの時間が、電源ＯＮ状態で一度再生を停止してからレジューム再生を開始するまでの時間よりも長くなる場合がある。その理由を以下に述べる。
【０００５】
一般的な映像再生装置における再生処理は、読み出し処理、圧縮ストリーム復号処理及びＡ／Ｖ出力制御処理に大まかに分割することができる。読み出し処理は、記録媒体から多重化及び圧縮されたコンテンツデータを読み出す処理である。圧縮ストリーム復号処理は、読み出されたコンテンツデータを分離して復号する処理である。Ａ／Ｖ出力制御処理は、表示装置の能力及びコンテンツの特性に合わせて、映像データの拡大若しくは縮小、オンスクリーンディスプレイの重畳、音声チャンネルの設定、又は、ダウンミックス等のコンテンツの変換処理を必要に応じて行ってから、表示装置のデータ受け入れタイミングに同期して表示装置へ映像（Ｖｉｄｅｏ）データ、音声（Ａｕｄｉｏ）データを出力する処理である。
【０００６】
映像再生装置が電源ＯＦＦ状態から電源ＯＮ状態となった時、一般には、上述したＡ／Ｖ出力制御処理を行うための設定は、映像再生装置固有の初期値で初期化される。その後、映像再生装置は、表示装置又はコンテンツから必要な設定値を取得又は算出し、Ａ／Ｖ出力制御処理に必要な設定を再度行う。従って、映像再生装置がＡ／Ｖ出力制御処理の開始に必要な設定を取得又は算出するために、少なくとも圧縮ストリームの復号処理及び表示装置の能力を取得する処理が事前に終了している必要がある。
【０００７】
このうち、表示装置の能力を取得する処理は、映像再生装置及び表示装置のそれぞれが動作していれば任意のタイミングで実施できるため、問題にはならない。しかしながら、圧縮ストリームの復号処理は、その処理が開始されてから、映像再生装置がＡ／Ｖ出力設定情報を取得又は算出するまでに時間がかかる場合がある。このような場合には、表示装置にコンテンツの内容が実際に表示されるまでに待ち時間が生じることになり、ユーザにとってはコンテンツの再生開始が遅延する原因となる。
【０００８】
一般的な民生用の映像再生装置においては、ユーザ視点で見た場合の電源ＯＦＦは映像再生装置から見ると省電力状態である。従って、このような装置では、電源ＯＦＦからのレジューム再生にあたって、Ａ／Ｖ出力制御処理の最終状態が維持されているため、上述の問題は生じにくい。しかしながら、例えば車載向けの映像再生装置では、電源ＯＦＦは供給電力の完全な遮断である。このため、次に電源ＯＮを実施するときにはＡ／Ｖ出力制御処理が完全な初期状態から始まる。そして、車載向けの映像再生装置では、レジューム再生を少しでも高速にしたいという需要が少なからず存在する。従って、車載向けの映像再生装置では、Ａ／Ｖ出力制御処理を行うための設定を取得又は算出する処理で待ち時間が発生することは、大きな問題となる。
【０００９】
そこで、本発明は、レジューム再生をより高速に開始することができるようにすることを目的とする。
【課題を解決するための手段】
【００１０】
本発明の一態様に係る映像再生装置は、記録媒体から再生するコンテンツの圧縮ストリームデータを読み出す記録媒体読出部と、前記記録媒体読出部が読み出した圧縮ストリームデータを復号して、復号データを生成する圧縮ストリーム復号部と、前記圧縮ストリーム復号部が生成した復号データを、表示装置で出力できる形式に変換することで、出力データを生成して、当該表示装置に与える出力制御部と、不揮発性記憶部と、前記出力制御部で変換を行うために必要な設定を示す出力設定情報を前記出力制御部から取得して、当該取得された出力設定情報を前記不揮発性記憶部に記憶させる出力設定取得部と、前記コンテンツの既に再生が行われた位置を示す再生位置情報を取得して、前記不揮発性記憶部に記憶させる再生制御部と、前記再生制御部からの指示に応じて、前記不揮発性記憶部に記憶されている出力設定情報に基づいて、前記出力制御部に設定を行う出力設定部と、を備え、前記再生制御部は、前記コンテンツの再生を再開する際に、前記出力設定部に指示して、前記不揮発性記憶部に記憶されている出力設定情報に基づいて、前記出力制御部に設定を行わせるとともに、前記記録媒体読出部に指示して、前記不揮発性記憶部に記憶されている再生位置情報で示される位置から圧縮ストリームデータを読み出させることを特徴とする。
【００１１】
本発明の一態様に係る映像再生方法は、記録媒体から再生するコンテンツの圧縮ストリームデータを読み出し、前記読み出された圧縮ストリームデータを復号して、復号データを生成し、前記生成された復号データを、表示装置で出力することのできる形式に変換することで、出力データを生成して、当該表示装置に出力し、前記変換を行うために必要な設定を示す出力設定情報を記憶し、前記コンテンツの既に再生が行われた位置を示す再生位置情報を記憶し、前記コンテンツの再生を停止し、前記コンテンツの再生を再開する映像再生方法であって、前記コンテンツの再生を再開する際には、前記記憶されている出力設定情報に基づいて、前記変換を行うための設定を行い、前記記憶されている再生位置情報で示される位置から圧縮ストリームデータを読み出すことを特徴とする。
【発明の効果】
【００１２】
本発明の一態様によれば、Ａ／Ｖ出力制御処理を行うための設定を高速に行うことができるため、レジューム再生をより高速に開始することができる。
【図面の簡単な説明】
【００１３】
【図１】実施の形態１に係る映像再生装置の構成を概略的に示すブロック図である。
【図２】実施の形態１に係る映像再生装置に記録媒体が未挿入である状態から電源がＯＮにされた場合の動作を示すフローチャートである。
【図３】実施の形態１に係る映像再生装置に記録媒体が挿入された状態で電源がＯＮにされた場合の動作を示すフローチャートである。
【図４】実施の形態２に係る映像再生装置の構成を概略的に示すブロック図である。
【図５】実施の形態２に係る映像再生装置に記録媒体が未挿入である状態から電源がＯＮにされた場合の動作を示すフローチャートである。
【図６】実施の形態３に係る映像再生装置の構成を概略的に示すブロック図である。
【図７】実施の形態３に係る映像再生装置での動作の一例を示すフローチャートである。
【発明を実施するための形態】
【００１４】
実施の形態１．
図１は、実施の形態１に係る映像再生装置１００の構成を概略的に示すブロック図である。
映像再生装置１００は、記録媒体読出部１０１と、圧縮ストリーム復号部１０２と、出力制御部としてのＡ／Ｖ出力制御部１０３と、再生制御部１０４と、ユーザ操作部１０５と、出力設定取得部としてのＡ／Ｖ出力設定取得部１０６と、不揮発性記憶部１０７と、出力設定部としてのＡ／Ｖ出力設定部１０８とを備える。ここで、本実施の形態に係る映像再生方法は、映像再生装置１００によって実行される。
なお、映像再生装置１００には含まれないが、説明に必要なため、図１には、記録媒体１３０及び表示装置１３１が示されている。
映像再生装置１００は、記録媒体１３０から再生するコンテンツの記録データを読み出して、表示装置１３１に出力データを出力し、表示装置１３１に映像を表示させる。
【００１５】
記録媒体読出部１０１は、再生制御部１０４から指示を受けて、記録媒体１３０から再生するコンテンツの記録データを読み出す。そして、記録媒体読出部１０１は、読み出された記録データが圧縮ストリームデータであれば、それを圧縮ストリーム復号部１０２へ渡し、読み出された記録データが管理データであれば、それを再生制御部１０４へ渡す。
【００１６】
圧縮ストリーム復号部１０２は、記録媒体読出部１０１から渡された圧縮ストリームデータに対して、復号を行う。なお、圧縮ストリーム復号部１０２は、圧縮ストリームデータに複数の圧縮データが多重化されていればこれを分離し、分離されたそれぞれの圧縮データの復号を行う。そして、圧縮ストリーム復号部１０２は、処理されたデータのうち、映像データ及び音声データ（以下、復号データともいう）をＡ／Ｖ出力制御部１０３へ渡す。
【００１７】
Ａ／Ｖ出力制御部１０３は、圧縮ストリーム復号部１０２から渡された復号データを、表示装置１３１で出力することのできる形式に変換することで、出力データを生成する。具体的には、Ａ／Ｖ出力制御部１０３は、圧縮ストリーム復号部１０２から渡された映像データ及び音声データを、表示装置１３１の能力及び特性に合わせて適切な変換を行うことで、出力データ（出力映像データ及び出力音声データ）を生成する。そして、Ａ／Ｖ出力制御部１０３は、表示装置１３１が要求するタイミングで、表示装置１３１へ出力映像データ及び出力音声データを渡す。
例えば、Ａ／Ｖ出力制御部１０３は、コンテンツの映像データの解像度が１０８０ｉで、表示装置１３１の表示解像度が７２０ｐである場合、映像データの縮小処理及びＩｎｔｅｒｌｅｓｓ／Ｐｒｏｇｒｅｓｓｉｖｅ変換を行う。また、Ａ／Ｖ出力制御部１０３は、コンテンツの音声データのフォーマットが、９６ｋＨｚ、２４ｂｉｔ及び５．１ｃｈであり、表示装置１３１で出力可能な音声フォーマットが、４４．１ｋＨｚ、１６ｂｉｔ及び２ｃｈのリニアＰＣＭに限定されている場合には、ダウンサンプリング及びダウンミックスを行う。
【００１８】
ここで、Ａ／Ｖ出力制御部１０３は、処理を行う際に、入力ストリーム設定、出力設定及び変換処理設定を必要とする。
入力ストリーム設定は、圧縮ストリーム復号部１０２から受け取る映像データ及び音声データの属性（形式）に関する設定である。例えば、入力ストリーム設定は、映像データに関する設定としては、映像コーデック種別、映像解像度、フレームレート、映像データフォーマット（白黒、ＲＧＢ又は色差、及び、量子化分解能等）等の設定である。また、入力ストリーム設定は、音声データに関する設定としては、音声コーデック種別、チャンネル数、サンプリングレート、量子化ビット数等の設定である。
出力設定は、表示装置１３１の映像及び音声の能力（出力能力）に関する設定である。例えば、出力設定は、映像の能力に関する設定としては、映像解像度、フレームレート及び映像データフォーマット等である。また、出力設定は、音声の能力に関する設定としては、音声チャンネル数、サンプリングレート、量子化ビット数等である。
変換処理設定は、Ａ／Ｖ出力制御部１０３で行う変換処理の内容を示す設定である。例えば、変換処理設定は、使用中の映像デコーダの種別、使用中の音声デコーダの種別、解像度変換処理の有無、解像度変換処理を行っている場合の処理内容、フレームレート変換処理の有無、フレームレート変換処理を行っている場合の処理内容、音声フォーマット（チャンネル数、サンプリングレート、量子化ビット数等）の変換処理の有無、及び、音声フォーマットの変換処理を行っている場合の処理内容等である。
【００１９】
再生制御部１０４は、映像再生装置１００での処理を制御する。具体的には、再生制御部１０４は、映像再生装置１００の各部を制御して、コンテンツの再生、停止及び再生再開を制御する。例えば、再生制御部１０４は、ユーザ操作部１０５からユーザ操作信号を受け取り、信号の内容に応じて記録媒体読出部１０１、圧縮ストリーム復号部１０２及びＡ／Ｖ出力制御部１０３の制御を行う。また、ユーザ操作部１０５から再生停止の指示を示すユーザ操作信号を受けたとき、又は任意のタイミング（例えば、定期的）に、再生制御部１０４は、その時のコンテンツ上の再生位置を示す再生位置情報を不揮発性記憶部１０７に記憶させる。ここで、再生位置情報は、コンテンツの既に再生が行われた位置を示す情報である。さらに、電源ＯＮの後に映像再生装置１００が記録媒体１３０のコンテンツを再生可能になり、ユーザ操作部１０５からレジューム再生の指示を示すユーザ操作信号を受けた場合には、再生制御部１０４は、不揮発性記憶部１０７から再生位置情報を取得し、取得された再生位置情報で示される再生位置に対応するデータを読み出すように記録媒体読出部１０１に指示して、レジューム再生を行う。さらにまた、再生制御部１０４は、必要に応じてＯＳＤ（Ｏｎ  Ｓｃｒｅｅｎ  Ｄｉｓｐｌａｙ）の画面データの生成を行い、その画面データをＡ／Ｖ出力制御部１０３へ渡す。
【００２０】
ユーザ操作部１０５は、ユーザからの要求（操作）の入力を受け付ける。そして、ユーザ操作部１０５は、ユーザの要求に応じたユーザ操作信号を再生制御部１０４へ渡す。
【００２１】
Ａ／Ｖ出力設定取得部１０６は、再生制御部１０４から指示があったタイミングで、Ａ／Ｖ出力制御部１０３に設定されている内容から現在のＡ／Ｖ出力設定情報を取得し、不揮発性記憶部１０７へ書き込む。ここで、Ａ／Ｖ出力設定情報は、Ａ／Ｖ出力制御部１０３で変換を行うために必要な設定を示す出力設定情報である。本実施の形態においては、Ａ／Ｖ出力設定取得部１０６は、Ａ／Ｖ出力制御部１０３に設定されている、入力ストリーム設定、出力設定及び変換処理設定の内容を示すＡ／Ｖ出力設定情報を取得する。なお、Ａ／Ｖ出力設定情報には、少なくとも変換処理設定の内容が含まれていればよいが、入力ストリーム設定及び出力設定の少なくとも何れか一方が含まれていてもよい。なお、再生制御部１０４は、例えば、圧縮ストリーム復号部１０２で生成された復号データの属性（形式）が変化した場合、又は、コンテンツの再生を停止する場合等に、Ａ／Ｖ出力設定取得部１０６に、Ａ／Ｖ出力設定情報の取得を指示する。また、再生制御部１０４は、定期的に、Ａ／Ｖ出力設定情報の取得を指示してもよい。
【００２２】
不揮発性記憶部１０７は、映像再生装置１００での処理に必要な情報を記憶する。例えば、不揮発性記憶部１０７は、再生制御部１０４から渡された再生位置情報及びＡ／Ｖ出力設定取得部１０６から渡されたＡ／Ｖ出力設定情報を記憶する。ここで、不揮発性記憶部１０７は、電源供給が停止しても書き込まれた内容が消去されない装置である必要がある。具体的には、不揮発性記憶部１０７は、磁気ディスク、フラッシュメモリ、又はＦＲＡＭ等により実現することができる。
【００２３】
Ａ／Ｖ出力設定部１０８は、再生制御部１０４から指示があったタイミング又は任意のタイミングで、不揮発性記憶部１０７からＡ／Ｖ出力設定情報を取得し、Ａ／Ｖ出力制御部１０３に対してその内容を設定する。
【００２４】
記録媒体１３０は、再生対象となるコンテンツのデータが記録された記録媒体である。例えば、記録媒体１３０は、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）又はＢＤ（Ｂｌｕ−ｒａｙ  Ｄｉｓｃ）等の光ディスク型記録媒体、ＳＤカード又はＵＳＢ  Ｆｌａｓｈディスク等の可搬型記録媒体、あるいは、ＨＤＤ又はＳＳＤ等の固定型記録媒体である。
【００２５】
表示装置１３１は、Ａ／Ｖ出力制御部１０３から出力された出力映像データ及び出力音声データを、ユーザが観賞できる形に出力可能な装置である。表示装置１３１は、例えば、ディスプレイ装置及びスピーカー装置を含む。
ここで、表示装置１３１は、何らかの形で自身の能力、特に、受信可能な出力映像データの表示解像度、及び、出力音声データのチャンネル数等の情報を、Ａ／Ｖ出力制御部１０３へ通知する機能を持つ必要がある。一例として、公知技術であるＨＤＭＩ規格及びＤＶＩ規格ではＥＤＩＤ（Ｅｘｔｅｎｄｅｄ  Ｄｉｓｐｌａｙ  Ｉｄｅｎｔｉｆｉｃａｔｉｏｎ  Ｄａｔａ）を通知するためにＤＤＣ（Ｄｉｓｐｌａｙ  Ｄａｔａ  Ｃｈａｎｎｅｌ）と呼ばれる通信方法が定められている。
【００２６】
上述したＤＤＣでは、表示装置１３１で出力可能な出力映像データ及び出力音声データの形式の一覧が、表示装置１３１からＡ／Ｖ出力制御部１０３へ通知される。具体的には、出力映像データの表示解像度、出力映像データの色形式（白黒信号、ＲＧＢ信号、色差信号のいずれか）、色分解能、リフレッシュレート及び垂直同期クロック等、並びに、出力音声データのサンプリング周波数、振幅分解能及びチャンネル数等が通知される。
【００２７】
以上に記載された、圧縮ストリーム復号部１０２、Ａ／Ｖ出力制御部１０３、再生制御部１０４、Ａ／Ｖ出力設定取得部１０６及びＡ／Ｖ出力設定部１０８は、ＣＰＵ（Ｃｅｎｔｒａｌ  Ｐｒｏｃｅｓｓｉｎｇ  Ｕｎｉｔ）が記憶装置に記憶されているプログラムを読み出して実行することで、実現することができる。但し、これらの一部又は全部は、コンピュータシステム上にソフトウェア的に実現されるものに限定されない。これらの一部又は全部は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいは、ＤＳＰ（Ｄｉｇｉｔａｌ  Ｓｉｇｎａｌ  Ｐｒｏｃｅｓｓｏｒ）等によりソフトウェア的に実現されるものでもよい。
【００２８】
以上が本実施の形態における映像再生装置１００の構成となる。次に、映像再生装置１００の動作について説明する。
図２は、映像再生装置１００に記録媒体１３０が未挿入である状態から電源がＯＮにされた場合の動作を示すフローチャートである。
【００２９】
まず、電源がＯＮにされると、映像再生装置１００の内部では、各構成要素が初期化を開始する（Ｓ１０）。本実施の形態では、Ａ／Ｖ出力制御部１０３の初期化が特徴的であるため、Ａ／Ｖ出力制御部１０３の初期化に関する説明を行い、他の構成要素の初期化については説明を省略する。
【００３０】
電源がＯＮにされると、Ａ／Ｖ出力設定部１０８は、不揮発性記憶部１０７にＡ／Ｖ出力設定情報が記憶されているかどうかを確認する（Ｓ１１）。それが記憶されている場合（Ｓ１１でＹｅｓ）には、処理はステップＳ１２に進み、それが記憶されていない場合（Ｓ１１でＮｏ）には、処理はステップＳ１３に進む。
ステップＳ１２では、Ａ／Ｖ出力設定部１０８は、不揮発性記憶部１０７からＡ／Ｖ出力設定情報を読み出し、このＡ／Ｖ出力設定情報を用いてＡ／Ｖ出力制御部１０３に設定を行う。
ステップＳ１３では、Ａ／Ｖ出力設定部１０８は、映像再生装置１００の標準設定値（初期値）を用いてＡ／Ｖ出力制御部１０３を初期化する。この初期値については、不揮発性記憶部１０７に記憶されていてもよく、また、図示されてはいない他の記憶部に記憶されていてもよい。また、ステップＳ１３では、Ａ／Ｖ出力制御部１０３は、上述した出力設定を行うために、表示装置１３１から受信可能な映像データの形式及び音声データの形式等の必要な情報を取得しておく。
【００３１】
そして、映像再生装置１００の内部の各構成要素の初期化が完了すると、映像再生装置１００は、ユーザ操作信号の待機状態となる（Ｓ１４）。ここでは、特に、この状態において、ユーザが記録媒体１３０を記録媒体読出部１０１へ挿入し、読み出し可能な状態にするイベントの発生を待機しているものとする（Ｓ１５）。そして、このようなイベントが発生した場合（Ｓ１５でＹｅｓ）には、処理はステップＳ１６に進む。
【００３２】
ステップＳ１６では、記録媒体読出部１０１は、記録媒体１３０から管理データの読み出しを行う。この管理データには、記録媒体１３０の中のファイル一覧、ストリームデータの一覧、各ストリームデータの属性情報及び開始アドレス、並びに、ストリームデータの再生制御順番を規定するナビゲーションコマンド及びコンテンツアプリ等が含まれる。
ステップＳ１６で読み出された管理データは、再生制御部１０４へ渡される。再生制御部１０４は、管理データを解析し、最初に読み出すべきストリームを決定したら、記録媒体読出部１０１へストリームの読み出し、及び、圧縮ストリーム復号部１０２への転送を指示する。また、再生制御部１０４は、圧縮ストリーム復号部１０２に、読み出しが開始された圧縮ストリームデータの復号（多重化されていれば分離も）を指示する。
【００３３】
再生制御部１０４からの一連の指示によって、圧縮ストリーム復号部１０２は、圧縮ストリームデータの復号を開始する（Ｓ１７）。
そして、圧縮ストリーム復号部１０２で復号された映像データ及び音声データは、Ａ／Ｖ出力制御部１０３へ渡される（Ｓ１８）。Ａ／Ｖ出力制御部１０３は、表示装置１３１の能力に合わせて、渡された映像データ及び音声データの変換を行う。
このときＡ／Ｖ出力制御部１０３は、圧縮ストリーム復号部１０２から渡された映像データ及び音声データの属性が変化したか否かを判断する（Ｓ１９）。例えば、Ａ／Ｖ出力制御部１０３は、自身に設定されている入力ストリーム設定と、映像データ及び音声データの属性とが同じか否かによりこの判断を行う。そして、映像データ及び音声データの属性が変化した場合（Ｓ１９でＹｅｓ）には、処理はステップＳ２０に進み、映像データ及び音声データの属性が変化していない場合（Ｓ１９でＮｏ）には、処理はステップＳ２２に進む。
【００３４】
ステップＳ２０では、Ａ／Ｖ出力制御部１０３で行うべき変換処理の内容が変化するため、Ａ／Ｖ出力制御部１０３は、自身の変換処理設定を変更するとともに、入力ストリーム設定も変更する。
そして、Ａ／Ｖ出力設定取得部１０６は、Ａ／Ｖ出力制御部１０３から、ステップＳ２０で変更された設定の内容を示すＡ／Ｖ出力設定情報を取得して、不揮発性記憶部１０７へ記憶させる（Ｓ２１）。そして、処理はステップＳ２２に進む。
【００３５】
ステップＳ２２では、Ａ／Ｖ出力制御部１０３は、圧縮ストリーム復号部１０２から渡された映像データ及び音声データを、表示装置１３１の能力に合わせて変換を行うことで、出力映像データ及び出力音声データを生成する。そして、Ａ／Ｖ出力制御部１０３は、出力映像データ及び出力音声データを表示装置１３１へ出力する。
【００３６】
そして、再生制御部１０４は、再生を終了するか否かを判断する（Ｓ２３）。例えば、圧縮ストリームデータの読み出しが完了している場合、ユーザ操作部１０５がユーザからの再生停止要求を受けた場合、又は、映像再生装置１００の電源がＯＦＦにされた場合等には、再生制御部１０４は、再生を終了すると判断する。再生を終了すると判断された場合（Ｓ２３でＹｅｓ）には、処理は終了し、再生を終了すると判断されていない場合（Ｓ２３でＮｏ）には、処理はステップＳ１８に戻る。
【００３７】
なお、図２のフローチャートには明記されていないが、レジューム再生実施のために、再生終了時又は再生中の任意のタイミングで、再生制御部１０４は、ストリーム上の再生位置を示す再生位置情報を不揮発性記憶部１０７に記憶させる。
【００３８】
以上が基本的な再生開始の処理の流れとなる。以上で説明した再生開始の処理の流れでは、電源ＯＮ時に記録媒体が記録媒体読出部１０１に挿入されていない状態である。このため、映像再生装置１００への電源投入以前に再生された記録媒体１３０と同一の記録媒体１３０が、ステップＳ１５で挿入される保証はない。
ここで、ステップＳ１８からステップＳ２３までの繰り返しの処理における最初の１回目では、ステップＳ１９において、「映像データ及び音声データの属性が変化した」と判断される可能性が高く、多くの場合に、ステップＳ２０及びＳ２１の処理が行われる。
【００３９】
次に、図３を用いて、最後に記録媒体１３０が記録媒体読出部１０１に挿入されたまま電源ＯＦＦが実施された状態で、再度電源ＯＮが実施された場合に、レジューム再生を実施するための処理フローを説明する。
【００４０】
図３は、映像再生装置１００に記録媒体１３０が挿入された状態で電源がＯＮにされた場合の動作を示すフローチャートである。
図３において、図２に示されている処理と同様の処理を行うステップには、図２と同じ符号が付されている。
【００４１】
図３のステップＳ１０〜Ｓ１３の処理は、図２のステップＳ１０〜Ｓ１３の処理と同様である。但し、図３では、記録媒体読出部１０１に記録媒体１３０が装着された状態で電源がＯＮにされているため、ユーザによる記録媒体１３０の挿入を待つ必要がなく、また再生開始のためにユーザ操作を待つ必要もない。このため、図３のステップＳ１２及びＳ１３の後は、処理はステップＳ３０に進む。
【００４２】
ステップＳ３０では、記録媒体読出部１０１は、記録媒体１３０から管理データの読み出しを行う。ステップＳ３０で読み出された管理データは、再生制御部１０４へ渡される。
そして、再生制御部１０４は、レジューム再生を行うため、不揮発性記憶部１０７に記憶されている再生位置情報を読み出す（Ｓ３１）。そして、再生制御部１０４は、読み出された再生位置情報で示されている再生位置からのストリームの読み出し、及び、圧縮ストリーム復号部１０２への転送を指示する。また、再生制御部１４０は、圧縮ストリーム復号部１０２に、読み出しが開始された圧縮ストリームデータの復号（多重化されていれば分離も）を指示する。
【００４３】
再生制御部１０４からの一連の指示によって、圧縮ストリーム復号部１０２は、再生位置情報で示されている再生位置から圧縮ストリームデータの復号を開始する（Ｓ３２）。そして、処理はステップＳ１８に進む。
図３のステップＳ１８〜Ｓ２３の処理は、図２のステップＳ１８〜Ｓ２３の処理と同様である。
なお、図３のフローチャートでも明記されていないが、レジューム再生実施のために、再生終了時又は再生中の任意のタイミングで、再生制御部１０４は、ストリーム上の再生位置を示す再生位置情報を不揮発性記憶部１０７に記憶させる。
【００４４】
ここで、図２に示されたフローと、図３に示されたフローとの相違について説明する。
図３においては、一度コンテンツの再生が実施されてから電源のＯＮが行われるため、不揮発性記憶部１０７には、Ａ／Ｖ出力設定取得部１０６で取得されたＡ／Ｖ出力設定情報が記憶されている。従って、図３のステップＳ１１では、必ず、Ａ／Ｖ出力設定情報が記憶されている（Ｓ１１でＹｅｓ）と判断されて、処理はステップＳ１２に進む。
ステップＳ１２で用いられるＡ／Ｖ出力設定情報は、再生終了時に再生していたコンテンツの設定及び接続されていた表示装置１３１の能力に適した内容になっている。そして、ステップＳ３２では、前回再生していたコンテンツの続きからの再生となるため、ステップＳ１９では、圧縮ストリーム復号部１０２から渡される映像データ及び音声データの属性は変化しないと判断される（Ｓ１９でＮｏ）。このため、図３に示されているフローでは、再生再開時に、ステップＳ２０及びＳ２１の処理が行われないため、即座に、ステップＳ２２で、出力データが出力される。
【００４５】
以上が本実施の形態に係る映像再生装置１００での動作の基本的な流れである。本実施の形態では、映像再生装置１００は、特にＡ／Ｖ出力設定情報を不揮発性記憶部１０７に記憶し、レジューム再生の実施前にＡ／Ｖ出力制御部１０３をコンテンツに合わせた設定に復帰させる。これにより、映像再生装置１００は、特にレジューム再生においてＡ／Ｖ出力制御部１０３の設定をコンテンツの復号前に行うことができ、その結果レジューム再生における表示装置１３１への出画を従来技術より高速に行うことができる。
【００４６】
また、図２及び図３では、ステップＳ２１におけるＡ／Ｖ出力設定情報の不揮発性記憶部１０７への保存を、ステップＳ１９での判定に基づいて行うようにしているが、このような例に限定されない。例えば、Ａ／Ｖ出力設定取得部１０６は、定期的にＡ／Ｖ出力制御部１０３からＡ／Ｖ出力設定情報を取得し、不揮発性記憶部１０７に記憶させてもよい。また、Ａ／Ｖ出力設定取得部１０６は、再生停止又は電源ＯＦＦのタイミングで、Ａ／Ｖ出力制御部１０３からＡ／Ｖ出力設定情報を取得し、不揮発性記憶部１０７に記憶させてもよい。
【００４７】
実施の形態２．
実施の形態１では、電源ＯＦＦで記録媒体１３０が映像再生装置１００に挿入されている状態、即ち、電源ＯＦＦになる前に記録媒体１３０を用いて映像再生装置１００で再生が行われていたことを前提に、Ａ／Ｖ出力設定情報を設定した。しかしながら、電源ＯＦＦ状態で記録媒体１３０が映像再生装置１００に挿入されておらず、図２と同様に、電源ＯＮになってから挿入された場合であっても、本発明の効果を得ることが可能である。その方法を以下に述べる。
【００４８】
図４は、実施の形態２に係る映像再生装置２００の構成を概略的に示すブロック図である。
映像再生装置２００は、記録媒体読出部１０１と、圧縮ストリーム復号部１０２と、Ａ／Ｖ出力制御部１０３と、再生制御部２０４と、ユーザ操作部１０５と、Ａ／Ｖ出力設定取得部１０６と、不揮発性記憶部２０７と、Ａ／Ｖ出力設定部１０８と、記録媒体照合部２０９とを備える。
実施の形態２に係る映像再生装置２００は、再生制御部２０４での処理の点、不揮発性記憶部２０７に記憶されている情報の点、及び、記録媒体照合部２０９がさらに備えられている点を除いて、実施の形態１に係る映像再生装置１００と同様に構成されている。以下、実施の形態１とは異なる点を主に説明する。
【００４９】
再生制御部２０４は、映像再生装置２００での処理を制御する。再生制御部２０４は、実施の形態１における再生制御部１０４と同様の処理を行うほか、以下の処理を行う。
再生制御部２０４は、記録媒体読出部１０１で記録媒体１３０から読み出された管理データから取得される記録媒体照合情報を記録媒体照合部２０９に与える。ここで、記録媒体照合情報は、記録媒体１３０を識別するための記録媒体識別情報である。記録媒体照合情報により、記録媒体読出部１０１に挿入された記録媒体１３０を識別することができる。
また、再生制御部２０４は、記録媒体照合部２０９で、記録媒体１３０から取得された記録媒体照合情報と、不揮発性記憶部２０７に記憶されている記録媒体照合情報とが一致した場合には、Ａ／Ｖ出力設定部１０８に指示して、Ａ／Ｖ出力設定情報に基づいて、Ａ／Ｖ出力制御部１０３に設定を行わせる。
さらに、再生制御部２０４は、記録媒体１３０から取得された記録媒体照合情報を不揮発性記憶部２０７に記憶させる。
【００５０】
不揮発性記憶部２０７は、映像再生装置２００での処理に必要な情報を記憶する。例えば、不揮発性記憶部２０７は、実施の形態１と同様に、再生位置情報及びＡ／Ｖ出力設定情報を記憶するほか、再生制御部２０４から与えられた記録媒体照合情報を記憶する。
【００５１】
記録媒体照合部２０９は、再生制御部２０４から記録媒体照合情報を与えられたとき、不揮発性記憶部２０７に記憶されている記録媒体照合情報を読み出して、これらの照合を行う。そして、記録媒体照合部２０９は、その照合結果を再生制御部２０４に返す。
【００５２】
以上が本実施の形態における構成要素の説明である。次に図５を用いて、本実施の形態におけるレジューム再生開始処理の流れについて説明する。
【００５３】
図５は、実施の形態２に係る映像再生装置２００に記録媒体１３０が未挿入である状態から電源がＯＮにされた場合の動作を示すフローチャートである。
図５において、図２に示されている処理と同様の処理を行うステップには、図２と同じ符号が付されている。
【００５４】
図５のステップＳ１０〜Ｓ１５の処理は、図２のステップＳ１０〜Ｓ１５の処理と同様である。但し、図５のステップＳ１０の後は、図２のステップＳ１１及びＳ１２の処理を行わずに、処理はステップＳ１３に進む。また、ステップＳ１５の処理の後は、処理はステップＳ４０に進む。
【００５５】
ステップＳ４０では、記録媒体読出部１０１は、記録媒体１３０から管理データの読み出しを行う。そして、読み出された管理データは、再生制御部２０４に渡される。
再生制御部２０４は、管理データを解析し、記録媒体を識別するための識別情報が含まれている場合には、その情報を記録媒体照合情報として、記録媒体照合部２０９に与える。一方、そのような識別情報が含まれていない場合には、再生制御部２０４は、記録媒体１３０に記録されている一部又は全部のデータのハッシュ値を算出する等により、記録媒体照合情報を生成して、記録媒体照合部２０９に与える。
【００５６】
次に、記録媒体照合部２０９は、再生制御部２０４から渡された記録媒体照合情報と、不揮発性記憶部２０７から読み出した記録媒体照合情報とを比較し、これらが一致するか否かを判断し、その結果を再生制御部２０４に通知する（Ｓ４１）。そして、これらが一致した場合（Ｓ４１でＹｅｓ）には、処理はステップＳ４２に進み、これらが一致しなかった場合（Ｓ４１でＮｏ）には、処理はステップＳ４３に進む。
【００５７】
ステップＳ４２では、再生制御部２０４は、Ａ／Ｖ出力設定部１０８に指示することで、不揮発性記憶部２０７に記憶されているＡ／Ｖ出力設定情報に基づいて、Ａ／Ｖ出力制御部１０３の設定を行わせる。そして、処理はステップＳ４３に進む。
ステップＳ４３では、再生制御部２０４は、ステップＳ４０で記録媒体１３０から取得された記録媒体照合情報を不揮発性記憶部２０７に記憶させる。
【００５８】
そして、再生制御部２０４は、管理データ又は不揮発性記憶部２０７に記憶されている再生位置情報を解析し、最初に読み出すべきストリームを決定したら、記録媒体読出部１０１に、ストリームの読み出し、及び、圧縮ストリーム復号部１０２への転送を指示する。また、再生制御部１４０は、圧縮ストリーム復号部１０２に、読み出しが開始された圧縮ストリームデータの復号（多重化されていれば分離も）を指示する。
再生制御部２０４からの一連の指示によって、圧縮ストリーム復号部１０２は、指示された再生位置から圧縮ストリームデータの復号を開始する（Ｓ４４）。そして、処理はステップＳ１８に進む。
図５のステップＳ１８〜Ｓ２３の処理は、図２のステップＳ１８〜Ｓ２３の処理と同様である。
【００５９】
ここで、ステップＳ４１の判断において、記録媒体照合情報が一致したと判断された場合（Ｓ４１でＹｅｓ）には、以降のステップＳ１９における最初の判断では、必ずデータの属性は変化していない（Ｓ１９でＮｏ）と判断されるため、コンテンツの出画を高速化することができる。
【００６０】
実施の形態３．
実施の形態１では、本発明における処理の基本的な流れを説明した。本発明の基本的な考え方は、他の構成の映像再生装置にも適用可能である。実施の形態３ではその一例として、複数の記録媒体読出部又は記録媒体読出部が複数の記録媒体を読み出すことが可能な映像再生装置に本発明の処理を適用する例を示す。
【００６１】
図６は、実施の形態３に係る映像再生装置３００の構成を概略的に示すブロック図である。
映像再生装置３００は、第１記録媒体読出部３０１Ａと、第２記録媒体読出部３０１Ｂと、圧縮ストリーム復号部１０２と、Ａ／Ｖ出力制御部１０３と、再生制御部３０４と、ユーザ操作部１０５と、Ａ／Ｖ出力設定取得部３０６と、不揮発性記憶部３０７と、Ａ／Ｖ出力設定部３０８とを備える。
実施の形態３に係る映像再生装置３００は、再生制御部３０４、Ａ／Ｖ出力設定取得部３０６及びＡ／Ｖ出力設定部３０８での処理の点、及び、不揮発性記憶部３０７に記憶されている情報の点を除いて、実施の形態１に係る映像再生装置１００と同様に構成されている。以下、実施の形態１とは異なる点を主に説明する。
【００６２】
第１記録媒体読出部３０１Ａは、再生制御部３０４から指令を受けて、第１記録媒体３３０Ａから記録データを読み出す。そして、第１記録媒体読出部３０１Ａは、読み出された記録データが圧縮ストリームデータであれば、それを圧縮ストリーム復号部１０２へ渡し、読み出された記録データが管理データであれば、それを再生制御部３０４へ渡す。
第２記録媒体読出部３０１Ｂは、再生制御部３０４から指令を受けて、第２記録媒体３３０Ｂから記録データを読み出す。そして、第２記録媒体読出部３０１Ｂは、読み出された記録データが圧縮ストリームデータであれば、それを圧縮ストリーム復号部１０２へ渡し、読み出された記録データが管理データであれば、それを再生制御部３０４へ渡す。
【００６３】
ここで、第１記録媒体読出部３０１Ａ及び第２記録媒体読出部３０１Ｂは、それぞれが同一種類の記録媒体を読み出すことができるように構成されていてもよく、また、それぞれが異なる種類の記録媒体を読み出すことができるように構成されていてもよい。例えば、第１記録媒体読出部３０１ＡがＢｌｕ−ｒａｙ  Ｄｉｓｃ等の光学ディスクの読み出し装置であり、第２記録媒体読出部３０１ＢがＳＤ（Ｓｅｃｕｒｅ  Ｄｉｇｉｔａｌ）カードの読み出し装置であってもよい。
【００６４】
再生制御部３０４は、映像再生装置３００での処理を制御する。例えば、再生制御部３０４は、ユーザ操作部１０５からユーザ操作信号を受け取り、信号の内容に応じて第１記録媒体読出部３０１Ａ、第２記録媒体読出部３０１Ｂ、圧縮ストリーム復号部１０２及びＡ／Ｖ出力制御部１０３の制御を行う。また、ユーザ操作部１０５から再生停止の指示を示すユーザ操作信号を受けたとき、又は任意のタイミングで、再生制御部３０４は、その時のコンテンツ上の再生位置を示す再生位置情報を、第１記録媒体読出部３０１Ａ及び第２記録媒体読出部３０１Ｂの何れで再生されていたかを区別することができるように、不揮発性記憶部３０７に記憶させる。さらに、電源ＯＮの後に映像再生装置３００が第１記録媒体３３０Ａ又は第２記録媒体３３０Ｂのコンテンツを再生可能な状態で、ユーザ操作部１０５からレジューム再生の指示を示すユーザ操作信号を受けた場合に、再生制御部３０４は、不揮発性記憶部３０７から指示に応じた再生位置情報を取得し、取得された再生位置情報で示される再生位置に対応するデータを読み出すように第１記録媒体読出部３０１Ａ又は第２記録媒体読出部３０１Ｂに指示して、レジューム再生を行う。さらにまた、再生制御部３０４は、必要に応じてＯＳＤ（Ｏｎ  Ｓｃｒｅｅｎ  Ｄｉｓｐｌａｙ）の画面データの生成を行い、その画面データをＡ／Ｖ出力制御部１０３へ渡す。
【００６５】
Ａ／Ｖ出力設定取得部３０６は、再生制御部３０４から指示があったタイミングで、Ａ／Ｖ出力制御部１０３に設定されている内容から現在のＡ／Ｖ出力設定情報を取得し、第１記録媒体読出部３０１Ａ及び第２記録媒体読出部３０１Ｂの何れに対応する情報かを区別することができるように、不揮発性記憶部３０７へ書き込む。
【００６６】
不揮発性記憶部３０７は、映像再生装置３００での処理に必要な情報を記憶する。例えば、不揮発性記憶部３０７は、再生制御部３０４から渡された再生位置情報及びＡ／Ｖ出力設定取得部３０６から渡されたＡ／Ｖ出力設定情報を、第１記録媒体読出部３０１Ａ及び第２記録媒体読出部３０１Ｂの何れに対応する情報かを区別することができるように記憶する。
例えば、不揮発性記憶部３０７は、第１記録媒体読出部３０１Ａで読み出すコンテンツに対応するＡ／Ｖ出力設定情報及び再生位置情報を記憶する第１領域と、第２記録媒体読出部３０１Ｂで読み出すコンテンツに対応するＡ／Ｖ出力設定情報及び再生位置情報を記憶する第２領域を持つ。
【００６７】
Ａ／Ｖ出力設定部３０８は、再生制御部１０４から指示があったタイミング又は任意のタイミングで、再生制御部３０４から指示された第１記録媒体読出部３０１Ａ又は第２記録媒体読出部３０１Ｂに対応するＡ／Ｖ出力設定情報を、不揮発性記憶部３０７から取得し、Ａ／Ｖ出力制御部１０３に対してその内容を設定する。
【００６８】
次に、実施の形態３における効果を得られる処理の流れの一例を、図７を用いて説明する。
図７は、実施の形態３に係る映像再生装置３００での動作の一例を示すフローチャートである。
図７のフローチャートは、第１記録媒体読出部３０１Ａに挿入された第１記録媒体３３０Ａに記憶されているコンテンツの再生を開始することで、開始される。
【００６９】
まず、再生制御部３０４は、第１記録媒体３３０Ａのコンテンツを再生中は、ユーザからの操作を待機している（Ｓ５０）。ここでは、再生制御部３０４は、ユーザから再生停止要求の入力を待機しているものとする。ユーザが、ユーザ操作部１０５に再生停止要求を行う（Ｓ５１でＹｅｓ）と、処理はステップＳ５２に進む。
【００７０】
ステップＳ５２では、再生制御部３０４は、第１記録媒体３３０Ａのコンテンツの再生中に最後に再生していたコンテンツの再生位置を示す再生位置情報を不揮発性記憶部３０７の第１領域に記憶させる。また、再生制御部３０４は、Ａ／Ｖ出力設定取得部３０６に指示することで、Ａ／Ｖ出力制御部１０３からＡ／Ｖ出力設定情報を取得させて、それを不揮発性記憶部３０７の第１領域に記憶させる。
そして、映像再生装置３００は、再生停止状態となり、ユーザからの操作を待機する状態となる（Ｓ５３）。この処理の流れは、図２におけるステップＳ１８〜Ｓ２３に至る部分と同様である。
【００７１】
ここで、ユーザが、ユーザ操作部１０５に第２記録媒体３３０Ｂの再生を要求したとき（Ｓ５４でＹｅｓ）、再生制御部３０４は、第２記録媒体３３０Ｂに記憶されているコンテンツの再生を開始する。
【００７２】
そして、再生制御部３０４は、第２記録媒体３３０Ｂのコンテンツを再生中は、ユーザからの操作を待機している（Ｓ５５）。ここでは、再生制御部３０４は、ユーザから再生停止要求の入力を待機しているものとする。ユーザが、ユーザ操作部１０５に再生停止要求を行う（Ｓ５６でＹｅｓ）と、処理はステップＳ５７に進む。
【００７３】
ステップＳ５７では、再生制御部３０４は、第２記録媒体３３０Ｂの再生中に最後に再生していたコンテンツの再生位置を示す再生位置情報を不揮発性記憶部３０７の第２領域に記憶させる。また、再生制御部３０４は、Ａ／Ｖ出力設定取得部３０６に指示することで、Ａ／Ｖ出力制御部１０３からＡ／Ｖ出力設定情報を取得させて、それを不揮発性記憶部３０７の第２領域に記憶させる。
そして、映像再生装置３００は、再生停止状態となり、ユーザからの操作を待機する状態となる（Ｓ５８）。この処理の流れも、図２におけるステップＳ１８〜Ｓ２３に至る部分と同様のものである。
【００７４】
ユーザが、ステップＳ５６で再生停止要求を出した後、再度ユーザが、ユーザ操作部１０５に第１記録媒体３３０Ａの再生を指示したとき（Ｓ５９でＹｅｓ）、再生制御部３０４は、第１記録媒体３３０Ａのレジューム再生を行う。例えば、Ａ／Ｖ出力設定部１０８は、再生制御部３０４からの指示により、不揮発性記憶部３０７の第１領域から、第１記録媒体読出部３０１Ａに対応したＡ／Ｖ出力設定情報を読み出し、Ａ／Ｖ出力制御部１０３に設定する（Ｓ６０）。
Ａ／Ｖ出力制御部１０３への設定と並行して、再生制御部３０４は、第１記録媒体３３０Ａのレジューム再生を開始する（Ｓ６１）。
【００７５】
以上が実施の形態３における処理の流れである。実施の形態３における構成及び制御方法によって、他のコンテンツの再生を行ったのちに元のコンテンツのレジューム再生を行った場合でも、実施の形態１と同様にレジューム再生の出画を高速化する効果が得られる。
【００７６】
また、実施の形態３では、第１記録媒体３３０Ａのレジューム再生を開始する際には、第２記録媒体３３０Ｂの再生を開始する前の第１記録媒体３３０Ａが、第１記録媒体読出部３０１Ａに保持されたままであることを前提としている。しかしながら、このような例に限定されるものではない。例えば、実施の形態３に係る映像再生装置３００も、実施の形態２と同様、記録媒体照合部２０９を備え、第１記録媒体３３０Ａの照合を行ってからレジューム再生を開始してもよい。
【００７７】
なお、実施の形態３では、一例として２つの記録媒体読出部３０１Ａ、３０１Ｂを持つ映像再生装置３００について説明したが、このような数に限定されるものではなく、２つ以上の複数の記録媒体読出部を備えていてもよい。
【符号の説明】
【００７８】
１００，２００，３００  映像再生装置、  １０１  記録媒体読出部、  ３０１Ａ  第１記録媒体読出部、  ３０１Ｂ  第２記録媒体読出部、  １０２  圧縮ストリーム復号部、  １０３  Ａ／Ｖ出力制御部、  １０４，２０４，３０４  再生制御部、  １０５  ユーザ操作部、  １０６，３０６  Ａ／Ｖ出力設定取得部、  １０７，２０７，３０７  不揮発性記憶部、  １０８，３０８  Ａ／Ｖ出力設定部、  ２０９  記録媒体照合部。
【図１】
2016144098.tif 000003
【図２】
2016144098.tif 000004
【図３】
2016144098.tif 000005
【図４】
2016144098.tif 000006
【図５】
2016144098.tif 000007
【図６】
2016144098.tif 000008
【図７】
2016144098.tif 000009